(57)【要約】【課題】小サイズの記録シートを胴内排紙部から取り忘れることを防止できる画像形成装置を提供すること。【解決手段】画像形成部５にて画像を形成された記録シートを胴内に設けられた胴内排紙部４に排出する画像形成装置１において、排紙トレイ４６に排出される記録シートのサイズが所定サイズ未満であるか否かを判断し（Ｓ２）、記録シートのサイズが所定サイズ未満であると判断したときに（Ｓ２：ＹＥＳ）、その旨を報知するようにする（Ｓ４、Ｓ５、Ｓ６）。【選択図】 図６
2007119114.tif 000002
【特許請求の範囲】
【請求項１】
画像形成がなされた記録シートを胴内に設けられた胴内排出部に排出する画像形成装置において、
前記胴内排出部に排出される記録シートのサイズが所定サイズ未満であるか否かを判断するサイズ判断手段と、
前記サイズ判断手段が、前記記録シートのサイズが所定サイズ未満であると判断したときに、その旨を報知する報知手段と、を有することを特徴とする画像形成装置。
【請求項２】
請求項１に記載する画像形成装置において、
前記ファクシミリデータを受信して前記記録シートに記録するファクシミリ機能を有し、
前記報知手段が、前記ファクシミリデータを受信して前記記録シートに記録するときにのみ報知を行うことを特徴とする画像形成装置。
【請求項３】
請求項１又は請求項２に記載する画像形成装置において、
前記胴内排出部に排出された記録シートの有無を検出する記録シート検出手段と、
前記記録シート検出手段が前記胴内排出部に前記記録シートがないと判断したときに、前記報知手段による報知を停止させる報知停止手段と、を有することを特徴とする画像形成装置。
【請求項４】
請求項１乃至請求項３の何れか１つに記載する画像形成装置において、
所定サイズ以上の記録シートと、所定サイズ未満の記録シートが前記胴内排出部に積層して排出されたときに、前記報知手段の報知内容を変更する変更手段を有すること、を特徴とする画像形成装置。
【請求項５】
請求項１乃至請求項４の何れか１つに記載する画像形成装置において、
前記報知手段が視覚的に報知を行うことを特徴とする画像形成装置。
【発明の詳細な説明】
【技術分野】
【０００１】
本発明は、画像を記録シートに形成する画像形成装置に関する。
【背景技術】
【０００２】
従来の画像形成装置では、所望の画像形成がなされた記録シートを、装置本体外の左側又は右側に設けた排紙トレイに排紙していた。しかし、このような排紙の仕方であると、装置本体の配置スペースに加えて、排紙トレイ分の配置スペースを余分に確保する必要がある。そのため、近年、画像形成された記録シートを胴内に設けた胴内排紙部に排出する胴内排紙タイプの画像形成装置が提案されている。胴内排紙タイプの画像形成装置は、胴内排紙部が上部を覆われているため、胴内排紙部を覗き込まなければ小サイズの記録シートを視認できない不都合がある。
【０００３】
そのため、例えば、特許文献１に記載される画像形成装置は、リーダの下面とプリンタの上面との間に設けた排紙トレイを排紙方向下流側へ向かって低くなるように傾斜させ、排紙トレイの排紙方向下流側の側面近傍に突き当て部材を回動可能に設けており、小サイズの記録シートの搬送速度を速くしたり、小サイズの記録シートの搬送経路を大サイズのシートの搬送経路と変えることによって、記録シートを突き当て部材に確実に突き当てるようにしている。この特許文献１に記載される画像形成装置によれば、小サイズの記録シートが、排紙トレイの傾斜に倣って排紙方向下流側へ滑り落ちて突き当て部材に係止され、先端部分が排紙トレイの排紙方向下流側の側面近傍に整合されるため、画像形成装置の使用者は、リーダとプリンタとの間にある排紙トレイを覗き込まなくても小サイズの記録シートを外部から容易に視認できる利点がある。
【０００４】
【特許文献１】特開２００３−１１８９１８号公報（段落０００７、００１４〜００１８、図１、図５参照）。
【発明の開示】
【発明が解決しようとする課題】
【０００５】
しかしながら、特許文献１に記載される画像形成装置は、記録シートを排紙トレイから取り出すときに、突き当て部材を回動させなければならず、シートの取り出しに手間がかかっていた。そうかといって、記録シートの後端部分を排紙トレイの排紙方向上流側に突き当てて記録シートを排紙トレイに排出し、突き当て部材をなくそうとすると、画像形成装置の使用者が排紙トレイの奥にある小サイズの記録シートに気づかず、小サイズの記録シートが排紙トレイにたまりすぎて搬送不良が生じたり、小サイズの記録シートを排紙トレイから取り忘れる恐れがある。
また、特許文献１に記載される画像形成装置は、排紙トレイに突き当て部を設けたり、小サイズの記録シートを突き当て部材に確実に突き当てるために、小サイズの記録シートの搬送速度を速くしたり、搬送経路を小サイズの記録シートと大サイズの記録シートと変える必要があり、構造が特殊且つ複雑であった。
【０００６】
本発明は、上記問題点を解決するためになされたものであり、小サイズの記録シートを胴内排紙部から取り忘れることを防止できる画像形成装置を提供することを目的とする。
【課題を解決するための手段】
【０００７】
本発明に係る画像形成装置は、次のような構成を有している。
（１）画像形成がなされた記録シートを胴内に設けられた胴内排出部に排出する画像形成装置において、前記胴内排出部に排出される記録シートのサイズが所定サイズ未満であるか否かを判断するサイズ判断手段と、前記サイズ判断手段が、前記記録シートのサイズが所定サイズ未満であると判断したときに、その旨を報知する報知手段と、を有することを特徴とする。
【０００８】
（２）（１）に記載する画像形成装置において、前記ファクシミリデータを受信して前記記録シートに記録するファクシミリ機能を有し、前記報知手段が、前記ファクシミリデータを受信して前記記録シートに記録するときにのみ報知を行うことを特徴とする。
【０００９】
（３）（１）又は（２）に記載する画像形成装置において、前記胴内排出部に排出された記録シートの有無を検出する記録シート検出手段と、前記記録シート検出手段が前記胴内排出部に前記記録シートがないと判断したときに、前記報知手段による報知を停止させる報知停止手段と、を有することを特徴とする。
（４）（１）乃至（３）の何れか１つに記載する画像形成装置において、所定サイズ以上の記録シートと、所定サイズ未満の記録シートが前記胴内排出部に積層して排出されたときに、前記報知手段の報知内容を変更する変更手段を有すること、を特徴とする。
（５）（１）乃至（４）の何れか１つに記載する画像形成装置において、前記報知手段が視覚的に報知を行うことを特徴とする。
【発明の効果】
【００１０】
上記構成を有する本発明の画像形成装置は、小サイズの記録シートが胴内排紙部に排出されると、サイズ判断手段が、胴内排出部に排出された記録シートのサイズが所定サイズ未満であると判断し、報知手段が、所定サイズ未満の記録シートが胴内排紙部に排出されたことを報知するので、胴内排出部に排出された小サイズの記録シートが外部から視認できない場合でも、画像形成装置の使用者が報知手段による報知によって小サイズの記録シートが胴内排紙部にあることに気付き、小サイズの記録シートを胴内排紙部から取り除くことができる。よって、本発明の画像形成装置によれば、搬送トレイの構造や記録シートの搬送構造などを特殊で複雑な構造に変更しなくても、サイズ判断手段と報知手段を設けるだけで、所定サイズ未満の記録シートを胴内排紙部から取り忘れることを防止できる。
【００１１】
また、本発明の画像形成装置によれば、ファクシミリデータを受信して記録シートに記録するときに報知手段により報知を行うので、ファクシミリ機能を実行し、画像形成装置を使用する使用者の意図に関わりなく記録シートを胴内排紙部に排出する場合でも、使用者がその記録シートの存在に気付いて記録シートを取り除くことができる。
【００１２】
また、本発明の画像形成装置によれば、報知手段が報知した後、画像形成装置の使用者が胴内排出部から記録シートを取り除き、記録シート検出手段が胴内排紙部に記録シートがないことを検出すると、報知停止手段が報知手段による報知を自動的に停止させるので、胴内排紙部から記録シートを取り除いた後も報知し続けるような不具合を回避できる。
また、本発明の画像形成装置によれば、所定サイズ以上の記録シートと所定サイズ未満の記録シートが胴内排出部に積層して排出されたときに、変更手段が報知手段による報知内容を変更するので、胴内排紙部に排出された記録シートの中に所定サイズ未満の記録シートが含まれていることの注意を画像形成装置の使用者に喚起して、所定サイズ未満の記録シートの取り忘れを防止できる。
また、本発明の画像形成装置によれば、報知手段が、警報ランプの点滅やメッセージの表示等により視覚的に報知を行うので、騒音を防止できる。
【発明を実施するための最良の形態】
【００１３】
次に、本発明に係る画像形成装置の一実施の形態について図面を参照して説明する。
【００１４】
（第１実施形態）
図１は、本発明の第１実施形態に係る複合機１の斜視図である。
本実施形態では、画像形成装置として複合機１を適用する。複合機１は本体ケーシング３を有する画像形成ユニット２の上部側に画像読取ユニット１００を配してなり、ファクシミリ機能、スキャナ機能、プリンタ機能、コピー機能を有する。また、詳細には後述するが、この複合機１は胴内排紙型とされ、両ユニット２、１００間に排紙トレイ（胴内排出部）４６が設けられ、排紙トレイ４６に所定サイズ未満の用紙（記録シート）が排出されたときに、その旨を報知するよう構成されている。
尚、以下の説明において、複合機１の奥行き方向をＸ方向（正面側を＋Ｘとする）、幅方向（図１における左手前側を＋Ｙとする）をＹ方向とし、高さ方向をＺ方向（図１における上側を＋Ｚとする）として説明する。
【００１５】
＜画像形成ユニット＞
図２は複合機１の垂直断面図である。
画像形成ユニット２は本体ケーシング３の底側に配置される用紙供給用のフィーダ部４と、その上方に配置される画像形成用の画像形成部５とを有している。
【００１６】
フィーダ部４は、薄いトレイ状のメイン給紙カセット６とオプション給紙カセット６０が複合機１の底面側に上下二段に重ねて配されている。メイン給紙カセット６と給紙カセット６０は、調節レバー６ａ，６０ａが用紙の搬送方向（図中Ｘ軸方向）に沿って直線往復運動可能に設けられ、調節レバー６ａ，６０ａの位置を用紙サイズに合わせて調節することにより積層された用紙の端を揃えて用紙を収納するようになっている。
【００１７】
フィーダ部４は、メイン給紙カセット６の正面側に送出ローラ１１、給紙ローラ８、ピンチローラ１０、レジストローラ１２を備え、メイン給紙カセット６から用紙を一枚ずつ正面側に引きだした後、本体ケーシング３の背面側に方向転換させて搬送経路（図２の２点鎖線にて表示）に送り出すようになっている。尚、搬送経路は、給紙ローラ８の上端から画像形成位置Ｐ１までの大部分は、複合機１の本体側に形成された用紙ガイド部材５１と、プロセスユニット１７の底面部とにより形成されている。
【００１８】
メイン給紙カセット６は用紙押圧板７を備えている。用紙押圧板７は、メイン給紙カセット６に対して片持ち支持されており、給紙ローラ８に対して近い方の端部が上下方向に揺動可能とされている。この用紙押圧板７は図示しないバネが付設されており、メイン給紙カセット６上に載置された用紙前端の上面が送出ローラ１１に常に接触した状態となるように上向きに付勢されている。
【００１９】
給紙ローラ８の下部には、図示しない分離パッドが図示しないバネによって給紙ローラ８に向かって押圧された状態で取り付けられており、複数の用紙が重なった状態で搬送経路内に供給されることを防止する。即ち、送出ローラ１１により送られてきた用紙は、給紙ローラ８と図示しない分離パッドとに接触するが、このとき、図示しない分離パッドと用紙との間には、適度な摩擦力が加えられるので、送出ローラ１１により複数の用紙が分離パッドまで送られてきたとしても、最上位に位置する用紙以外の用紙は図示しない分離パッドにより係止される。このため、給紙ローラ８からは１枚毎に用紙が供給される。また、符号５０は紙粉取りローラであって、給紙された用紙の紙粉を取り除くためのものである。
【００２０】
また、フィーダ部４は、オプション給紙カセット６０の正面側に送出ローラ６１と給紙ローラ６５，６５を備える。送出ローラ６１は、用紙の搬送方向に対して直交するようにオプション給紙カセット６０に回転可能に取り付けられ、図示しないモータにより必要に応じて駆動され、オプション給紙カセット６０から用紙を一枚ずつ正面側に引き出すようになっている。送出ローラ６１の正面側には、ガイド部材６２，６３が送り出しローラ６１と給紙ローラ８との間を繋ぐように起立した姿勢で配置されている。ガイド部材６２，６３は、メイン給紙カセット６又はオプション給紙カセット６０を正面側に引き出す際に邪魔にならないように、メイン給紙カセット６２とオプション給紙カセット６３との間で分離するように設けられている。ガイド部材６２上には、一対の給紙ローラ６５，６５が回転自在に配置され、図示しないモータにより必要に応じて駆動されるようになっている。
【００２１】
オプション給紙カセット６０に収納された用紙は、送り出しローラ６１から給紙ローラ６５，６５へ送り出されると、ガイド部材６３，６２を通って給紙ローラ８とピンチローラ１０との間に案内され、その後メイン給紙カセット６の用紙と同様の搬送経路（図２の２点鎖線にて表示）で搬送される。オプション給紙カセット６０は、用紙押圧板６７が揺動可能に支持され、用紙を送り出しローラ６１に常に接触させる。用紙押圧板６７の構造は用紙押圧板７と同様であるので説明を省略する。
【００２２】
レジストローラ１２は１対のローラから構成されており、給紙ローラ８の近傍に配置された位置センサ６４による検知タイミングに基づいて、駆動および停止の動作が図示しない基板内に配置された後述の制御装置２００により制御される。そして、この制御により用紙の斜行が修正される。即ち、後述する制御装置２００は給紙ローラ８による用紙の搬送時において、レジストローラ１２は駆動している状態とし、位置センサ６４が用紙の先端を検知すると、レジストローラ１２を停止させる。そして、用紙がレジストローラ１２に接触し弛んだ状態になった頃に、制御装置２００は再びレジストローラ１２を駆動し、用紙を画像形成部５に送るようにしている。
【００２３】
なお、位置センサ６４は機械式のものであり、用紙と接触して押されると用紙が接触する前の所定の位置から変位するよう構成されている。また、給紙ローラ８のやや上方には、複合機１の手前側からレジストローラ１２の位置に直接用紙を給紙するための手差給紙口１４が形成されており、メイン給紙カセット６やオプション給紙カセット６０に用紙を収納することなく搬送経路に用紙を供給することができる。
【００２４】
画像形成部５はスキャナ部１６、プロセスユニット１７、定着器１８とを有している。
【００２５】
スキャナ部１６は、本体ケーシング３内において後述するプロセスユニット１７の上部に設けられ、レーザ発光部（図示省略）、ポリゴンモータ２５により回転駆動されるポリゴンミラー１９、レンズ２０および２１、反射鏡２２および２３などを備えており、レーザ発光部から発光されるレーザビームをポリゴンミラー１９、レンズ２０、反射鏡２２、レンズ２１、反射鏡２３の順に通過あるいは反射させて、図２における一点鎖線で示す経路を経てプロセスユニット１７における感光体ドラム２７の表面上に高速走査にて照射させている。
【００２６】
プロセスユニット１７はドラムカートリッジ２６と現像カートリッジ２８とを有している。本体ケーシング３の正面側には、前面カバー４９が回動可能に保持されている。そのため、前面カバー４９を開方向へ回動させて水平姿勢にセットすれば、プロセスユニット１７を複合機１の正面側（＋Ｘ側）から着脱することができる。
【００２７】
図２に示すように、プロセスユニット１７のうち、ドラムカートリッジ２６は感光体ドラム２７、スコロトロン型帯電器２９、転写ローラ３０を備えている。一方、現像カートリッジ２８は現像ローラ３１およびトナーボックス３４などを備えてなるとともに、ドラムカートリッジ２６に対して着脱自在に装着されている。
【００２８】
トナーボックス３４内には、トナー（現像剤）が充填されている。そして、トナーボックス３４内のトナーは、トナーボックス３４の中心に設けられる回転軸３５に支持されるアジテータ３６の矢印方向（時計方向）への回転により、攪拌されて、トナーボックス３４に設けられたトナー供給口３７から放出される。
【００２９】
トナー供給口３７の側方位置（背面側の位置）には、トナー供給ローラ３３が反時計方向に回転可能に配設されており、また、このトナー供給ローラ３３に対向して現像ローラ３１が反時計方向に回転可能に配設されている。そして、これらトナー供給ローラ３３と現像ローラ３１とはそれぞれがある程度圧縮するような状態で互いに当接されている。
【００３０】
また、現像ローラ３１の近傍には、層厚規制ブレード３２が配設されている。この層厚規制ブレード３２は、金属の板バネ材からなるブレード本体の先端部に、絶縁性のシリコーンゴムからなる断面半円形状の押圧部４０を備えており、現像ローラ３１の近くにおいて現像カートリッジ２８に支持されて、押圧部４０がブレード本体の弾性力によって現像ローラ３１上に圧接されるように構成されている。
【００３１】
そして、トナー供給口３７から放出されるトナーは、トナー供給ローラ３３の回転により、現像ローラ３１に供給され、この時、トナー供給ローラ３３と現像ローラ３１との間で正に摩擦帯電され、さらに、現像ローラ３１上に供給されたトナーは、現像ローラ３１の回転に伴って、層厚規制ブレード３２の押圧部４０と現像ローラ３１との間に進入し、ここでさらに十分に摩擦帯電されて、一定厚さの薄層として現像ローラ３１上に担持される。
【００３２】
感光体ドラム２７は、現像ローラ３１の側方位置において、その現像ローラ３１と対向するような状態で時計方向に回転可能に配設されている。この感光体ドラム２７は、ドラム本体が接地されるとともに、その表面部分が、ポリカーボネートなどから構成される正帯電性の感光層により形成されている。なお、この感光体ドラム２７は、図示しないメインモータからの動力によって回転駆動されるように構成されている。
【００３３】
スコロトロン型帯電器２９は、感光体ドラム２７に接触しないように、所定の間隔を隔てて配設されている。このスコロトロン型帯電器２９は、感光体ドラム２７の半径方向において、水平方向から約３０度上方に配置されている。また、このスコロトロン型帯電器２９は、このタングステンなどの帯電用ワイヤからコロナ放電を発生させる正帯電用のスコロトロン型の帯電器であり、感光体ドラム２７の表面を一様に正極性に帯電させるように構成されている。
【００３４】
そして、感光体ドラム２７の表面は、その感光体ドラム２７の回転に伴って、まず、スコロトロン型帯電器２９により一様に正帯電された後、スキャナ部１６からのレーザビームの高速走査により露光され、所定の画像データに基づく静電潜像が形成される。
【００３５】
次いで、現像ローラ３１の回転により、現像ローラ３１上に担持されかつ正帯電されているトナーが、感光体ドラム２７に対向して接触する時に、感光体ドラム２７の表面上に形成される静電潜像、即ち、一様に正帯電されている感光体ドラム２７の表面のうち、レーザビームによって露光され電位が下がっている露光部分に供給され、選択的に担持されることによって可視像化され、これによって反転現像が達成される。
【００３６】
転写ローラ３０は、感光体ドラム２７の下方において、この感光体ドラム２７に対向するように配置され、ドラムカートリッジ２６に反時計方向に回転可能に支持されている。この転写ローラ３０は、金属製のローラ軸に、イオン導電性のゴム材料からなるローラが被覆されており、転写時には、転写バイアス（転写順バイアス）が印加されるように構成されている。そのため、感光体ドラム２７の表面上に担持された可視像は、用紙が感光体ドラム２７と転写ローラ３０との間（画像形成位置Ｐ１）を通る間に用紙に転写される。
【００３７】
そして、プロセスユニット１７よりも用紙搬送方向下流側（奥側）には、定着ローラ４１および押圧ローラ４２とを備えた定着器１８が設けられている。定着ローラ４１は表面がフッ素樹脂によってコーティングされた金属管と、その金属管内に加熱のためのハロゲンランプとを備え、図示しないモータからの動力の入力により回転駆動される。
【００３８】
押圧ローラ４２は、定着ローラ４１の下方において、定着ローラ４１を押圧するように対向配置されている。この押圧ローラ４２は金属製のローラ軸を、ゴム材料からなるローラで被覆することにより構成されており、定着ローラ４１の回転駆動に従って従動される。
【００３９】
定着器１８では、転写位置において用紙上に転写されたトナーを、用紙が定着ローラ４１と押圧ローラ４２との間を通過する間に熱定着させる。トナーが定着した用紙は、本体ケーシング３の上面に向かって上下方向に延びた排紙パス（用紙ガイド部材５２、５３により形成される）に搬送される。排紙パスに搬送された用紙は、その上側に設けられる排紙ローラ４５によって、再び方向転換されて用紙排出口（排出口）２４より、本体ケーシング３の上面壁４３の中央部分に凹設された排紙トレイ４６上に排紙される（図２参照）。
【００４０】
排紙トレイ４６は、上面が普通紙のＡ４サイズより若干大きく設けられ、複合機１の背面壁１ａ側から正面側に（−Ｘ側から＋Ｘ側に）向かってなだらかに湾曲しつつトレイの前端部分がやや下降する形状をなし、次に述べる画像読取ユニット１００の下面壁１０５との間に用紙取り出し口８２を形成している。これにより、例えば、Ａ４サイズの用紙に画像を形成したときには、画像形成後の用紙は排紙トレイ４６上に用紙取り出し口８２からその先端部分を突出させた態様で排紙される。これによりオペレータは、画像読取ユニット１００を開方向へ回動させずに、用紙取り出し口８２より、画像形成後の用紙を容易に取り出すことが可能である。
【００４１】
一方、Ａ４サイズ未満の用紙は、排紙トレイ４６の排出口２４側（図中−Ｘ側）端部が下向きに傾斜しているため、排出口２４から排紙トレイ４６に排紙されると、排紙トレイ４６の傾斜にならって排出口２４側滑り落ち、本体ケーシング３の内壁に当たって後端部分を揃えられる。そのため、Ａ４サイズ未満の用紙は、先端部分が用紙取り出し口８２から突出せず、用紙取り出し口８２から視認しにくい。そのため、排紙トレイ４６には、排出口２４側の端部上面に排紙センサ４７が取り付けられ、排紙トレイ４６に排紙された用紙を検出するようになっている。尚、排紙センサ４７は、リミットスイッチや圧電素子のように接触型センサであってもよいし、光センサのように非接触型光学センサであってもよい。
【００４２】
排紙トレイ４６に排出された用紙は、後で説明する画像読取ユニット１００に揺動自在に保持される押圧レバー１３６によって下向き（図中−Ｚ方向）に押し付けられ、用紙端部が浮き上がって用紙排紙口２４を塞がないようにしている。
【００４３】
＜画像読取ユニット＞
画像読取ユニット１００はフラットベット式であって、図２に示すように、前記排紙トレイ４６の上面を被覆可能な上部ケーシング１０１を備えてなる。この上部ケーシング１０１は上方に開放する箱型をなすとともに、内部にイメージセンサ１１５を収容させた状態で上面が原稿を載置するためのプラテンガラス１０７によって塞がれている。イメージセンサ１１５は図２におけるＸ軸方向に延設されたライン型のセンサであって、ガイド軸１１７に支持され、同ガイド軸１１７に沿って紙面と直交する方向（Ｙ軸方向に）に進退可能とされている。
【００４４】
このイメージセンサ１１５には延設方向に複数のフォトダイオード（図示略）が列設されており、図示しない光源より原稿に強い光を当てたときの反射光を個々のフォトダイオードで受光して、各画素毎に反射光の光強度（明度）を電気信号に変換するように構成されている。画像読取ユニット１００では、これを図示しないＡ／Ｄ変換器にてデジタルデータ化することで、原稿上に形成された画像を画像データとして読み取ることができる。また、上部ケーシング１０１の下面壁１０５の後端（背面側の端）寄りの位置には除電ブラシ１３５が設けられている。徐電ブラシ１３５はホルダ部１３５ｂと、このホルダ部１３５ｂに保持されるブラシ部１３５ａによって構成されており、用紙の排出時にブラシ部１３５ａが用紙の全幅に亘って近接又は当接するように構成されている。除電ブラシ１３５の正面側には、押圧レバー１３６が配設されている。押圧レバー１３６は、図示しないバネにより図中反時計方向へ付勢され、用紙を図中下方向（図中−Ｚ方向）へ押圧するものであり、用紙全幅方向に所定間隔を空けて複数箇所に設けられている。
【００４５】
一方、図１に示すように画像読取ユニット１００の上面には、正面側（＋Ｘ側）に操作用のタッチパネル１２５、コピー機能の切り替えを行うＣＯＰＹモードキー１２６、ファクシミリ機能の切り替えを行うＦＡＸモードキー１２７、パソコンなどの外部装置から印字指令を受けて記録シートを出力するＰＲＩＮＴモードキー１２８、液晶パネル１２９、スピーカ１３０などを備えた操作パネル１２１が配されるとともに、これと並んでＡＤＦ機構１４５を備えた原稿カバー１４０が配置されている。ＣＯＰＹモードキー１２６、ＦＡＸモードキー１２７、ＰＲＩＮＴモードキー１２８は、発光ダイオードを内蔵し、後述する制御装置２００により発光状態を制御される。
【００４６】
図３は原稿カバー１４０が開いた状態の複合機１を示す斜視図である。
原稿カバー１４０はプラテンガラス１０７の上面を被覆可能な大きさに形成されるとともに、上部ケーシング１０１における上面の背面寄りの位置に設けられる第二のヒンジ軸Ｊ２を介して同上部ケーシング１０１に回動可能に連結されている。
【００４７】
これにより、原稿カバー１４０は常にはプラテンガラス１０７の上方を覆った姿勢にあるが、原稿をセットする際には、正面側（＋Ｘ側）からの操作により原稿カバー１４０を第二のヒンジ軸Ｊ２を中心に回動させることでプラテンガラス１０７を露出させることが出来るようになっている。尚、ＡＤＦ機構１４５について詳細な説明は割愛するが、上述のイメージセンサ１１５を移動させずに、原稿供給トレイ１４７から１枚づつ原稿を取り込んでイメージセンサ１１５の上方を通過させ、そこで原稿から画像を読み取るものである。
【００４８】
＜両ユニットの連結構造＞
図４は画像読取ユニット１００が開位置にある状態の複合機１を示す斜視図である。
上述した画像読取ユニット１００は、複合機１の背面壁１ａにおける左右両端部に設けられるヒンジ軸（以下、第一のヒンジ軸Ｊ１とする）Ｊ１（図２参照）によって、前記画像形成ユニット２に対し回動可能に連結されている。画像形成ユニット２と画像読取ユニット１００との間には、一対のガイド部材１４１，１４１が設けられている。ガイド部材１４１は、上端部が上部ケーシング１０１に回転可能に連結され、下端部が本体ケーシング２の凸縁部４３Ａに固定されたレール部材１４３のレール溝に摺動可能に係合している。そのため、ガイド部材１４１が横向きの姿勢のときには、画像読取ユニット１００が排紙トレイ４６を覆うように画像形成ユニット２に当接して閉位置で保持され、ガイド部材１４１が横向きの姿勢から起立した姿勢に変位すると、画像読取ユニット１００がガイド部材１４１に案内されて画像形成ユニット２に対して回動し、閉位置から開位置へ移動する。
【００４９】
＜複合機の制御構成＞
図５は、図１に示す複合機１の制御ブロック図である。
制御装置２００は、周知のコンピュータであり、複合機１に内蔵され、用紙をフィーダ部４から画像形成部５へ給紙する給紙タイミング、画像形成部５で画像を形成する画像形成タイミングなど複合機１の動作を制御する。制御装置２００には、接続ケーブルＬＡＮを介して複数のパーソナルコンピュータ（以下「ＰＣ」と略記する。）１６０Ａ，１６０Ｂ，１６０Ｃ…が接続され、複合機１をプリンタとして共用できるようにしている。なお、本実施形態では、複数のＰＣ１６０Ａ，１６０Ｂ，１６０Ｃ…を接続ケーブルＬＡＮを介して複合機１に接続したが、１台のＰＣを専用ケーブルで複合機１に接続してもよいし、場合によっては、ＰＣを複合機１に接続しなくてもよい。また、複合機１には、公衆電話回線網が接続し、ファクシミリデータを送受信できるようになっている。
【００５０】
制御装置２００は、中央処理装置（以下「ＣＰＵ」と略記する。）２０１を中心に構成されている。ＣＰＵ２０１には、入出力インターフェース２０２、ＲＯＭ２０３、ＲＡＭ２０４、ハードディスクドライブ（以下「ＨＤＤ」と略記する。）２０５などが接続している。
【００５１】
ＣＰＵ２０１は、データの処理又は演算を行い、複合機１の動作を司るものである。
入出力インターフェース２０２は、制御装置２００の外部に設けられた機器とデータをやり取りするものである。本実施形態では、入出力インターフェース２０２にフィーダ部４、画像形成部５、イメージセンサ１１５、タッチパネル１２５が接続し、画像形成動作を制御するために必要な信号を入出力するようになっている。また、入出力インターフェース２０２には、排紙センサ４７が接続し、排紙トレイ４６に排紙された用紙の有無を検出する検出信号を入力するようになっている。また、入出力インターフェース２０２には、ＣＯＰＹモードキー１２６、ＦＡＸモードキー１２７、ＰＲＩＮＴモードキー１２８が接続し、各モードキー１２６，１２７，１２８の押下によって実行する機能を選択する信号を入力するとともに、選択した機能に対応するモードキー１２６，１２７，１２８を点灯させる信号を出力するようになっている。また、入出力インターフェース２０２には、液晶パネル１２９が接続し、メッセージなどを表示する信号を出力するようになっている。また、入出力インターフェース２０２には、スピーカ１３０が接続し、警報音や警告アナウンスなどの音声を制御する信号を出力するようになっている。
【００５２】
ＲＯＭ２０３は、各種プログラムやデータを記憶する不揮発性メモリである。
ＲＡＭ２０４は、各種プログラムやデータを記憶する揮発性メモリである。
ＨＤＤ２０５は、各種プログラムやデータを記憶して読み書きできる不揮発性メモリである。ＨＤＤ２０５には、例えば、報知処理プログラム２０６とカセット用紙サイズ記憶メモリ２０７、標準サイズ記憶メモリ２０８が記憶されている。
尚、ＨＤＤ２０５に代えてＥＥＰＲＯＭにより構成してもよく、また、報知処理プログラム２０６は、ＲＯＭ２０３に記憶させてもよい。
【００５３】
報知処理プログラム２０６は、排紙トレイ４６に排紙された用紙のサイズが小サイズであるか否かを判断し、排紙トレイ４６に排紙された用紙のサイズが小サイズであると判断したときに、その旨を報知するものである。なお、用紙のサイズは、標準サイズ（所定サイズ）未満であるときに、小サイズであると判断される。
【００５４】
カセット用紙サイズ記憶メモリ２０７は、メイン給紙カセット６にセットされる用紙のサイズと、オプション給紙カセット６０にセットされる用紙のサイズ、更には、手差給紙口１４にセットされた用紙のサイズを記憶するものである。メイン給紙カセット６、オプション給紙カセット６０、手差給紙口１４にセットされる用紙のサイズは、タッチパネル１２５や図示しない調整ダイヤルなどで任意に設定変更できるようにされている。本実施形態では、メイン給紙カセット６にＡ４サイズの普通紙（以下「Ａ４用紙」という。）をセットし、オプション給紙カセット６０にＢ５サイズの普通紙（以下「Ｂ５用紙」という。）をセットしたことが、カセット用紙サイズ記憶メモリ２０７に記憶されている。
【００５５】
標準サイズ記憶メモリ２０８は、用紙サイズが小サイズか否かを判断するときの基準値となる標準サイズを記憶するものである。標準サイズは、複合機１に初期設定された値でもよいし、タッチパネル１２５を用いて任意に設定された値でもよい。本実施形態では、普通紙のＡ４サイズを標準サイズとして設定している。
【００５６】
＜画像読取ユニットの報知処理＞
図６は、図１に示す複合機１による報知処理を示すフロー図である。
複合機１は、ファクシミリデータ、印字データ、コピーデータを入力し、各データを用紙に記録する１ジョブ毎に、報知処理プログラム２０６をＨＤＤ２０５から読み出して実行する。ここでは、複合機１が、コピーデータをＡ４用紙に印刷した後、ファクシミリデータを受信してＢ５用紙に記録し、さらにその後ＰＣ１６０Ｃからの印字指令に基づいて印字データをＡ４用紙に印刷する場合を例に挙げて説明する。
【００５７】
先ず、Ａ４用紙にコピーデータを印刷する場合について説明する。
複合機１の使用者が、ＣＯＰＹモードキー１２６を押下した後、タッチパネル１２５でＡ４サイズを指定して画像読取ユニット１００で原稿を読み取り、スタートボタンを押してコピーを行うと、複合機１は、メイン給紙カセット６からＡ４用紙をピックアップしてコピーデータを印刷し、コピー済み用紙を排紙トレイ４６に排紙する。このとき、複合機１は、スタートボタンを押されたときをトリガとして、制御装置２００のＨＤＤ２０５から報知処理プログラム２０６を読み出して実行する。
【００５８】
すなわち、先ずステップ１（以下「Ｓ１」と略記する。）において、コピーを完了して用紙を出力し終わると、Ｓ２において、排紙トレイ４６に出力された用紙が小サイズであるか否かを判断する。排紙トレイ４６に出力された用紙のサイズは、給紙カセット６，６０の選択やファクシミリデータに含まれる用紙サイズに基づいて認識される。また、用紙が小サイズであるか否かは、認識した用紙のサイズを、標準サイズ記憶メモリ２０８に記憶されている標準サイズと比較し、認識した用紙のサイズが標準サイズより小さいか否かにより判断される。
【００５９】
この時点では、使用者がコピーする際に、メイン給紙カセット６を選択してＡ４用紙を設定しているので、複合機１は、排紙トレイ４６にＡ４用紙が排紙されているものと認識し、標準サイズと比較する。上述したように、本実施形態では、普通紙のＡ４サイズが標準サイズとして設定されているので、複合機１は、排紙トレイ４６に排紙された用紙のサイズが、標準サイズと同じであり、小サイズではないと判断する（Ｓ２：ＮＯ）。この場合、排紙トレイ４６のＡ４用紙は、先端部分が用紙取り出し口８２から突出して視認でき、用紙の取り忘れがないと考えられるので、報知処理をそのまま終了する。
【００６０】
ここで、上記Ｓ２の判断は、１ジョブに含まれる用紙１枚ずつについて行われる。複合機１は、例えば、Ａ４用紙にコピーデータを印刷しているときに、メイン給紙カセット６が用紙切れすると、メイン給紙カセット６をオプション給紙カセット６０に切り替えてＢ５用紙にコピーデータを縮小して印刷することがある。この場合、複合機１は、給紙カセットの切り替え動作によって、排紙トレイ４６に排紙される用紙が標準サイズ（Ａ４サイズ）より小サイズになったことを認識し（Ｓ２：ＹＥＳ）、Ｓ３に進むことになる。なお、Ｓ３以降の処理については後述する。
【００６１】
次に、ファクシミリデータをＢ５用紙に記録する場合について説明する。
複合機１は、公衆電話回線網からファクシミリデータを受信すると、ファクシミリデータに含まれる用紙サイズに基づいて給紙カセットを選択する。ここでは、ファクシミリデータの送信元がＢ５用紙にファクシミリデータを記録することを要求しているので、複合機１は、オプション給紙カセット６０を選択する。そして、複合機１は、オプション給紙カセット６０からＢ５用紙をピックアップしてファクシミリデータの記録を行い、排紙トレイ４６に排紙する。複合機１は、ファクシミリデータの受信をトリガとして制御装置２００のＨＤＤ２０５から報知処理プログラム２０６を読み出して実行する。
【００６２】
図６のＳ１において、Ｂ５用紙を出力し終わると、Ｓ２において、用紙サイズが小サイズであるか否かを判断する。上述した通り、本実施形態では、標準サイズが普通紙のＡ４サイズに設定されており、Ｂ５用紙のサイズは普通紙のＡ４サイズより小さい。そのため、排紙トレイ４６に排紙された用紙は小サイズであると判断し（Ｓ２：ＹＥＳ）、Ｓ３に進む。排紙トレイ４６に排紙されたＢ５用紙は、先端部分が用紙取り出し口８２から視認できず、複合機１の使用者が外部から認識できない恐れがあるからである。尚、コピーは、メイン給紙カセット６、ＦＡＸは、オプション給紙カセット６０などと、機能ごとにカセットを設定してＨＤＤ２０５に記憶させておき、その設定情報に基づいてカセットを選択して記録を行う構成であってもよい。この場合には、仮にオプション給紙カセット６０にＢ５用紙がセットされていると、送信元がＡ４用紙であったとしても、オプション給紙カセット６０のＢ５用紙に縮小記録されることになる。
【００６３】
Ｓ３においては、ＣＯＰＹモードとＦＡＸモードとＰＲＩＮＴモードのいずれが選択されているかを判断する。モードを判断するのは、コピー機能、ファクシミリ機能、プリンタ機能によって利用者が複合機１に寄せる注意力が異なり、報知内容を異ならせるためである。
【００６４】
すなわち、液晶パネル１２９に「小サイズ紙が出力されました。」などのメッセージを表示する報知内容や、ＣＯＰＹモードキー１２６、ＦＡＸモードキー１２７、ＰＲＩＮＴモードキー１２８を点滅発光させる報知内容は、視覚的な報知であって、放置しておいても周囲に迷惑をかけないので、いずれのモードの報知内容にも適用されている。
これに対して、警告音やアナウンスをスピーカ１３０から発するような聴覚的な報知内容は、放置しておくと騒音になる恐れがある。ＣＯＰＹモードやＰＲＩＮＴモードを選択しているときには、使用者の意図に基づいて画像形成を行うため、警告音等が流れると、使用者が排紙トレイ４６から用紙を速やかに取り出し、警告音等を止めることが可能であるが、ＦＡＸモードを選択しているときには、使用者の意図によらずに画像形成を行うため、留守中にファクシミリデータを受信して小サイズの用紙に画像形成を行うと、警告音等が流れっぱなしになって騒音になる恐れがある。そのため、警告音鳴動は、ＣＯＰＹモードとＰＲＩＮＴモードの報知内容にのみ適用し、ＦＡＸモードの報知内容に適用していない。
また、例えば、１台の複合機１に複数のＰＣ１６０Ａ，１６０Ｂ，１６０Ｃ…を接続している場合、複合機１から離れた位置に設置されたＰＣ利用者は、複合機１の設置場所までわざわざ行って、排紙トレイ４６に小サイズの用紙が出力されたか否かを確認しなければならず、効率が悪い。通常、ＰＣ使用者は、印字指令を出力した後、直ぐにＰＣを離れないと考えられる。そこで、ＰＲＩＮＴモードでは、ＰＣ画面に「小サイズ紙が出力されました。」とのメッセージをポップアップ表示する報知内容を適用している。
【００６５】
ファクシミリデータをＢ５用紙に記録する場合には（Ｓ３：ＦＡＸ）、Ｓ４において、液晶パネル１２９に「小サイズ紙が出力されました。」とのメッセージを表示するとともに、ＦＡＸモードキー１２７を点滅発光させる。これにより、例えば、複合機１の使用者の留守中にファクシミリデータをＢ５用紙に記録し、Ｂ５用紙が用紙取り出し口８２から視認できない場合でも、外から帰ってきた使用者は、液晶パネル１２９のメッセージやＦＡＸモードキー１２７の点滅発光を見て、小サイズの用紙が排紙トレイ４６に出力されていることを知ることができる。
【００６６】
そして、Ｓ７において、排紙センサ４７が、排紙トレイ４６に用紙が無いことを検出したか否かを判断する。複合機１の使用者が、排紙トレイ４６の用紙を取り除いた場合には、排紙センサ４７が、排紙トレイ４６に用紙がなくなったことを検出するので（Ｓ７：ＹＥＳ）、Ｓ８において、液晶パネル１２９のメッセージを消して待機状態にするとともに、ＦＡＸモードキー１２７を消灯して、報知を停止させる。これにより、使用者が排紙トレイ４６から用紙を取り出すだけで、複合機１を報知前の状態に自動復帰させることができる。
【００６７】
一方、複合機１の使用者が排紙トレイ４６からＢ５用紙を取り除かない場合には、排紙センサ４７が、排紙トレイ４６に用紙がないと判断しないので（Ｓ７：ＮＯ）、Ｓ９において、次の印字があるか否かを判断する。使用者がＢ５用紙を排紙トレイ４６から取り除かない状態で、複合機１が次の印字指令やファクシミリデータ、コピーデータを受信する前までは、次の印字がないと判断し（Ｓ９：ＮＯ）、Ｓ４における報知内容を継続した状態で待機する。報知の必要性が解消されていないからである。
【００６８】
その後、Ｂ５用紙を排紙トレイ４６から取り除かない状態で、例えば、複合機１がＰＣ１６０Ｃから印字指令を受信し、Ａ４用紙に印字データを印刷するときには、次の印字があると判断し（Ｓ９：ＹＥＳ）、Ｓ１０において、用紙が小サイズであるか否かを判断する。Ｓ１０の判断は、Ｓ２と同様であるので、詳細な説明を省略する。ＰＣ１６０Ｃから受信した印字指令は、Ａ４用紙に印字データを印刷するものであるから、複合機１は、メイン給紙カセット６からＡ４用紙をピックアップして印字データを印刷し、Ｂ５用紙の上に印刷済み用紙を排紙している。普通紙のＡ４サイズは、本実施形態における標準サイズと同じであるため、小サイズでないと判断し（Ｓ１０：ＮＯ）、Ｓ１１に進む。
【００６９】
そして、Ｓ１１において、報知内容を変更する。例えば、液晶パネル１２９に表示するメッセージを「小サイズ紙が含まれています。」と変更したり、ＦＡＸモードキー１２７の点滅色や点滅間隔を変える。報知内容を変更しないと、Ｂ５用紙がＡ４用紙に覆い隠されて、複合機１の使用者が報知を誤報と勘違いする恐れがあるからである。その後、Ｓ７に戻り、上記Ｓ７以降の処理を行う。
【００７０】
尚、ここではファクシミリ機能を実行している場合を例に挙げて報知処理を説明しているため、報知内容の変更に警告音を含めていないが、コピー機能やプリンタ機能を実行して小サイズの用紙に印刷する場合であれば、表示に加えて、警告音を変更してもよい。
また、次の印字指令が、例えばＢ５用紙に印字するものである場合には（Ｓ１０：ＹＥＳ）、報知内容を変更せずにＳ７に戻る。複合機１の使用者が報知を誤報と勘違いする恐れが低いからである。
【００７１】
＜複合機の作用効果＞
従って、本実施形態の複合機１は、Ｂ５用紙が排紙トレイ４６に排紙されると、排紙トレイ４６に排出された用紙のサイズが標準サイズ未満であると判断し（図６のＳ２：ＹＥＳ参照）、標準サイズ未満のＢ５用紙が排紙トレイ４６に排紙されたことを液晶パネル１２９やＰＣ１６０Ａの画面などの表示や、各モードキー１２６，１２７，１２８の点滅、警告音の鳴動などにより報知するので（図６のＳ４〜Ｓ６参照）、排紙トレイ４６に排紙したＢ５用紙が本体ケーシング３の排出口側（搬送方向上流側）内壁に整合し、用紙取り出し口８２の外から視認できない場合でも、複合機１の使用者が、画像読取ユニット１００を開かずに、液晶パネル１２９やＰＣ１６０Ａの画面などの表示や、各モードキー１２６，１２７，１２８の点滅、警告音などによる報知によって排紙トレイ４６にＢ５用紙があることに気付き、Ｂ５用紙を排紙トレイ４６から取り除くことができる。よって、本実施形態の複合機１によれば、排紙トレイ４６の構造や用紙の搬送構造などを特殊で複雑な構造にしなくても、報知処理プログラム２０６を制御装置２００のＨＤＤ２０５に格納するだけで、既存の液晶パネル１２９や各モードキー１２６，１２７，１２８、スピーカ１３０等を利用して複合機１の使用者に排紙トレイ４６への注意を喚起し、使用者がＢ５用紙を排紙トレイ４６から取り忘れることを防止でき、更には小サイズの用紙が排紙トレイ４６にたまりすぎることを防止できる。なお、複合機１は、排紙トレイ４６が画像形成ユニット２と画像読取ユニット１００の間に設けられ、排紙トレイ４６上の隙間が狭いが、画像読取ユニット１００がフラットベット式であるため、排紙トレイ４６の奥に排紙された用紙でも取り出しやすい。
【００７２】
また、例えば、ある使用者が、メイン給紙カセット６のＡ４用紙をＡ５サイズの葉書に入れ替えてメイン給紙カセット６の用紙サイズをＡ５サイズに設定し、葉書に印刷を行った直後に、別の使用者がＡ４用紙に印刷を行う場合、葉書が排紙トレイ４６に排紙されていることを報知しないと、別の使用者は、排紙トレイ４６を見ても葉書が見えないため、メイン給紙カセット６にＡ４用紙がセットされているものと誤認識し、メイン給紙カセット６を選択して印刷を行う恐れがある。この場合、印字データは葉書に縮小もしくはそのまま印刷されるため、別の使用者は印刷をやり直さなければならなくなる。これに対して、本実施形態の複合機１のように、液晶パネル１２９のメッセージやモードキー１２６，１２７，１２８の点滅発光、警告音などにより葉書が排紙トレイ４６に排紙されていることを報知するようすれば、別の使用者は、排紙トレイ４６に葉書があることに気づき、メイン給紙カセット６の用紙サイズを確認してから印刷指令を複合機１に送信することができるようになり、印刷のやり直しや用紙の無駄遣いを回避できる点で便利である。
【００７３】
また、複合機１がファクシミリ機能を実行する場合には、コピー機能やプリンタ機能を実行する場合と異なり、複合機１を使用する使用者の意図と関係なく、記録済み用紙を排紙トレイ４６に排出する。そのため、例えば、Ｂ５用紙にファクシミリデータを記録した後に、Ａ４用紙に印字データを印刷した場合や、１件目のファクシミリデータをＢ５用紙に記録した後に、２件目のファクシミリデータをＡ４用紙に印刷した場合や、ファクシミリデータをＡ４用紙に記録しているときにＡ４用紙が用紙切れし、メイン給紙カセット６をオプション給紙カセット６０に切り替えて、残りのファクシミリデータをＢ５用紙に記録した場合などに、使用者が、用紙取り出し口８２から視認できるＡ４用紙のみを排紙トレイ４６から取り出し、用紙取り出し口８２から視認できないＢ５用紙を取り忘れることがある。Ｂ５用紙を取り忘れたまま、次の用紙を排紙トレイ４６に排紙すると、排紙トレイ４６に用紙がたまりすぎて搬送不良を起こす恐れがある。これに対して、本実施形態の複合機１によれば、ファクシミリデータを受信してＢ５用紙に記録するときに液晶パネル１２９の表示やＦＡＸモードキー１２７の点滅により報知を行うので（図６のＳ２：ＹＥＳ、Ｓ３：ＦＡＸ、Ｓ４参照）、複合機１を使用する使用者の意図に関わりなく排紙トレイ４６に排出されたＢ５用紙であっても、使用者がＢ５用紙の存在に気付いてＢ５用紙を取り除くことができる。
【００７４】
また、本実施形態の複合機１によれば、報知後に、複合機１の使用者が用紙取り出し口８２から手を入れて、或いは、画像読取ユニット１００を画像形成ユニット２に対して回動させて排紙トレイ４６からＢ５用紙を取り除き、排紙センサ４７が排紙トレイ４６上の用紙を検出しなくなると、報知を自動的に停止させるので（図６のＳ７：ＹＥＳ、Ｓ８参照）、排紙トレイ４６からＢ５用紙を取り除いた後も報知し続けるような不具合を回避できる。
【００７５】
また、本実施形態の複合機１によれば、Ｂ５用紙が排紙トレイ４６に排紙された後、Ａ４用紙がＢ５用紙の上に積層して排出されたときに、液晶パネル１２９の表示を変えたり、モードキー１２６，１２７，１２８の点滅色や点滅間隔を変えたり、さらには警告音を変えるなどして報知内容を変更するので（図６のＳ１１参照）、排紙トレイ４６に排紙された用紙の中にＢ５用紙が含まれていることの注意を複合機１の使用者に喚起して、Ｂ５用紙の取り忘れを防止できる。特に、複合機１は、使用者の意図に基づいて画像形成を行うプリンタ機能及びコピー機能と、使用者の意図に基づかずに画像形成を行うファクシミリ機能を備え、しかも、用紙切れの場合に多段式の給紙カセット６，６０を切り替えて画像形成を行うため、標準サイズ未満の小サイズの用紙が標準サイズ以上の用紙に紛れ込みやすいが、上記のように報知内容を変えることにより、使用者の注意を強く引きつけ、小サイズの用紙が排紙トレイ４６にたまりすぎることを防止できる。
【００７６】
また、本実施形態の複合機１によれば、モードキー１２６，１２７，１２８の点滅や液晶パネル１２９のメッセージ表示など視覚的な報知のみを行うようにすれば（図６のＳ４、Ｓ５、Ｓ６参照）、騒音を防止できる。
【００７７】
（第２実施形態）
続いて、本発明の画像形成装置に係る第２実施形態について説明する。
本実施形態の画像形成装置も、第１実施形態と同様に複合機１に適用されるが、報知を手動で停止させる点、及び、報知内容の変更を行わずに簡易な制御を行う点が第１実施形態と相違している。よって、ここでは、第１実施形態と異なる制御フローについて説明し、共通点については説明を省略する。
【００７８】
図７は、第２実施形態の複合機１による制御フローを示す図である。
図７のＳ２１に示すように、排紙トレイ４６に排紙された用紙が小サイズであり、所定の報知内容で報知を行うと（Ｓ２〜Ｓ６）、Ｓ２１において、使用者が複合機１の操作パネル１２１に設けられたＳＴＯＰキーを押下するまで、報知し続ける。使用者がＳＴＯＰキーを押下すると、Ｓ８において、報知が停止され、報知処理が完了する。
【００７９】
従って、本実施形態の複合機１によれば、第１実施形態と比べ、手動で報知を停止させなければならない点で、第１実施形態より操作上の手間がかかるものの、排紙センサ４７を省いたり、報知の停止制御を簡単にし、コストダウンを図ることができる。
【００８０】
尚、本発明の実施の形態について説明したが、本発明は、上記実施の形態に限定されることなく、色々な応用が可能である。
【００８１】
（１）例えば、上記実施の形態では、レーザプリンタを内蔵する複合機１を画像形成装置に適用したが、インクジェットプリンタや、コピー機能、ファクシミリ機能、プリンタ機能を単独で有するコピー機、ファクシミリ装置、プリンタを画像形成装置に適用してもよい。
（２）例えば、上記実施形態では、多段の給紙カセットを備える複合機１について説明したが、給紙カセットを１つだけ備え、給紙カセットにセットする用紙のサイズを切り替えて画像形成する画像形成装置に報知処理を適用してもよい。この場合、例えば、標準サイズ未満のＢ５用紙が排紙トレイ４６に排紙されると、その旨が報知されるので、Ｂ５用紙に印刷した後しばらくしてからＡ４用紙に印刷を行うときに、使用者は複合機１の報知によって給紙カセットの用紙サイズをＡ４サイズに戻し忘れていることに気付くことができ、便利である。
（３）例えば、上記実施形態では、画像読取ユニット１００を画像形成ユニット２に対して回動可能に連結し、画像読取ユニット１００と画像形成ユニット２との間に排紙トレイ４６を設けたが、画像読み取りユニット１００と画像形成ユニット２を一体にした胴内に排紙トレイ４６を設けてもよい。
【００８２】
（４）例えば、上記実施形態では、複合機１の各モードについて報知処理を行ったが、ファクシミリ機能についてのみ報知処理を行うようにしてもよい。ファクシミリ機能は、コピー機能やプリンタ機能と比べて、記録シートが排紙トレイ４６に排紙されることへの使用者の注意力が低く、小サイズの記録シートが排紙トレイに排紙されたことを知らせる重要性が高いからである。
（５）例えば、上記実施形態では、１ジョブ毎に報知処理を実行したが、用紙１枚毎に報知処理を行うようにしてもよい。
（６）例えば、上記実施形態では、記録シートとして普通紙を用いたが、ＯＨＰなど材質の異なるものや、厚紙や薄紙などの厚さの異なるもの、さらにはＡ５サイズの葉書や用紙などのサイズが異なるものを記録シートとして使用してもよい。
（７）例えば、上記第１実施形態では、所定サイズ未満の記録シート（Ｂ５用紙）を排紙トレイ４６に排紙した後に、所定サイズ以上の記録シート（Ａ４用紙）を排紙トレイ４６に排紙したときに、報知内容を変更するようにしたが、所定サイズ以上の記録シートを排紙トレイ４６に排紙した後に、所定サイズ未満の記録シートを排紙トレイ４６に排紙した場合にも、報知内容を変更するようにしてもよい。
【図面の簡単な説明】
【００８３】
【図１】本発明の第１実施形態に係る複合機の斜視図である。
【図２】複合機の垂直断面図である。
【図３】原稿カバーが開いた状態の複合機を示す斜視図である。
【図４】画像読取ユニットが開位置にある状態の複合機を示す斜視図である。
【図５】図１に示す複合機の制御ブロック図である。
【図６】図１に示す複合機による報知処理を示すフロー図である。
【図７】本発明の第２実施形態に係る複合機による報知処理を示すフローチャートである。
【符号の説明】
【００８４】
１  複合機（画像形成装置）
４６  排紙トレイ（胴内排紙部）
４７  排紙センサ（記録シート検出手段）
２０６  報知処理プログラム（サイズ判断手段、報知手段、報知停止手段、変更手段）
【図１】
2007119114.tif 000003
【図２】
2007119114.tif 000004
【図３】
2007119114.tif 000005
【図４】
2007119114.tif 000006
【図５】
2007119114.tif 000007
【図６】
2007119114.tif 000008
【図７】
2007119114.tif 000009